(57)【要約】【課題】信号強度の劣化を招かずに光信号を分岐することができる光マルチキャスタ及び光伝送システムを得ることを目的とする。また、信号強度の劣化を招かずに光信号を分岐することができる光マルチキャスタを用いて、大画面の表示を制御することができる画面表示システムを得ることを目的とする。【解決手段】光マルチキャスタ２が光信号を受信すると、その光信号を電気信号に変換して分配し、複数の電気信号を光信号に変換して送信するように構成した。これにより、光信号を直接分岐するものとは異なり、信号強度の劣化を招かずに光信号を分岐することができる。【選択図】        図１
2004247867.tif 000002
【特許請求の範囲】
【請求項１】
光信号を受信すると、その光信号を電気信号に変換して出力する光電変換手段と、上記光電変換手段から出力された電気信号を分配する電気信号分配手段と、上記電気信号分配手段により分配された電気信号を受信し、その電気信号を光信号に変換して送信する複数の光信号送信手段とを備えた光マルチキャスタ。
【請求項２】
光信号を送信する光信号送信装置と、上記光信号送信装置から送信された光信号を受信して、その光信号と同一の光信号を複数複製し、複数の光信号を送信する光マルチキャスタと、上記光マルチキャスタから送信された光信号を受信する複数の光信号受信装置とを備えた光伝送システムにおいて、上記光マルチキャスタは、上記光信号送信装置から送信された光信号を受信すると、その光信号を電気信号に変換して出力する光電変換手段と、上記光電変換手段から出力された電気信号を分配する電気信号分配手段と、上記電気信号分配手段により分配された電気信号を受信し、その電気信号を光信号に変換して送信する複数の光信号送信手段とから構成されていることを特徴とする光伝送システム。
【請求項３】
表示データを構成する光信号を送信する光信号送信装置と、上記光信号送信装置から送信された光信号を受信して、その光信号と同一の光信号を複数複製し、複数の光信号を送信する光マルチキャスタと、上記光マルチキャスタから送信された光信号を受信して、その光信号から予め割り当てられた表示領域に対応する表示データを抽出し、その表示データにしたがって大画面の一部を構成するディスプレイの表示を制御する複数の表示制御装置とを備えた画面表示システムにおいて、上記光マルチキャスタは、上記光信号送信装置から送信された光信号を受信すると、その光信号を電気信号に変換して出力する光電変換手段と、上記光電変換手段から出力された電気信号を分配する電気信号分配手段と、上記電気信号分配手段により分配された電気信号を受信し、その電気信号を光信号に変換して送信する複数の光信号送信手段とから構成されていることを特徴とする画面表示システム。
【請求項４】
複数の光マルチキャスタが光信号送信装置と接続されていることを特徴とする請求項３記載の画面表示システム。
【発明の詳細な説明】
【０００１】
【発明の属する技術分野】
この発明は、同一の光信号を複数複製する光マルチキャスタと、複数の光信号を伝送する光伝送システムと、大画面の表示を制御する画面表示システムとに関するものである。
【０００２】
【従来の技術】
従来の光伝送システムは、送信装置から送信された光信号を光スターカプラを用いて複数の経路に分岐し、同一の光信号を複数の受信装置に送信している（以下の特許文献１を参照）。
【０００３】
【特許文献１】
特開２００１−２１７７８３公報（段落番号［００１９］から［００２２］、図１）
【０００４】
【発明が解決しようとする課題】
従来の光伝送システムは以上のように構成されているので、送信装置から送信された光信号を複数の受信装置に送信することができる。しかし、送信装置から送信された光信号を光スターカプラを用いて複数の経路に分岐するため、その分岐数が多くなると、分岐後の光信号の信号強度が劣化してしまうなどの課題があった。
【０００５】
この発明は上記のような課題を解決するためになされたもので、信号強度の劣化を招かずに光信号を分岐することができる光マルチキャスタ及び光伝送システムを得ることを目的とする。
また、この発明は、信号強度の劣化を招かずに光信号を分岐することができる光マルチキャスタを用いて、大画面の表示を制御することができる画面表示システムを得ることを目的とする。
【０００６】
【課題を解決するための手段】
この発明に係る光マルチキャスタは、光信号を受信すると、その光信号を電気信号に変換して分配し、複数の電気信号を光信号に変換して送信するようにしたものである。
【０００７】
【発明の実施の形態】
以下、この発明の実施の一形態を説明する。
実施の形態１．
図１はこの発明の実施の形態１による画面表示システムを示す構成図であり、図において、光信号送信装置１は例えばパーソナルコンピュータから構成され、大画面ディスプレイ４の表示データを構成する光信号を送信する。ただし、表示データ自体は、光信号送信装置１が生成してもよいし、他のコンピュータ等から受信するようにしてもよい。
光マルチキャスタ２は光信号送信装置１と光ファイバを介して接続され、光信号送信装置１から送信された光信号を受信すると、その光信号と同一の光信号を複数複製し、同一の光信号を表示制御装置３Ａ〜３Ｆに送信する。光信号受信装置である表示制御装置３Ａ〜３Ｆは例えばパーソナルコンピュータから構成され、光マルチキャスタ２から光ファイバを介して送信された光信号を受信すると、その光信号から予め割り当てられた表示領域に対応する表示データを抽出し、その表示データにしたがってディスプレイＡ〜Ｆの表示を制御する。大画面ディスプレイ４は複数のディスプレイＡ〜Ｆから構成されている。
【０００８】
図２は図１の光マルチキャスタ２を示す構成図であり、図において、光信号受信部１１は光信号送信装置１から送信された光信号を受信すると、その光信号を電気信号に変換して出力する光電変換手段を構成している。信号分配部１２は光信号受信部１１から出力された電気信号を分配する電気信号分配手段を構成している。光信号送信部１３Ａ〜１３Ｆは信号分配部１２により分配された電気信号を受信し、その電気信号を光信号に変換して送信する光信号送信手段を構成している。
【０００９】
次に動作について説明する。
まず、光信号送信装置１は、大画面ディスプレイ４の表示データを生成、あるいは、他のコンピュータ等から表示データを受信すると、例えば、内蔵している光送信モジュールを用いて、その表示データを光信号に変調し、その光信号を光マルチキャスタ２に送信する。
【００１０】
光マルチキャスタ２は、光信号送信装置１から送信された光信号を受信すると、その光信号と同一の光信号を複数複製し、同一の光信号を表示制御装置３Ａ〜３Ｆに送信する。
即ち、光マルチキャスタ２の光信号受信部１１は、光信号送信装置１から送信された光信号を受信すると、その光信号を電気信号に変換して信号分配部１２に出力する。
光マルチキャスタ２の信号分配部１２は、光信号受信部１１から電気信号を受けると、その電気信号を分配して光信号送信部１３Ａ〜１３Ｆに出力する。
光マルチキャスタ２の光信号送信部１３Ａ〜１３Ｆは、信号分配部１２から分配された電気信号を受信すると、その電気信号を光信号に変換して表示制御装置３Ａ〜３Ｆに送信する。
【００１１】
表示制御装置３Ａ〜３Ｆは、例えば、内蔵している光受信モジュールを用いて、光マルチキャスタ２の光信号送信部１３Ａ〜１３Ｆから送信された光信号を受信し、その光信号を表示データに復調する。そして、その表示データから予め割り当てられた表示領域に対応する表示データを抽出し、その表示データにしたがってディスプレイＡ〜Ｆの表示を制御する。
例えば、表示制御装置３Ａは、光マルチキャスタ２の光信号送信部１３Ａから送信された光信号を受信して、その光信号から表示データ（この表示データは、大画面ディスプレイ４の全体の表示情報を含んでいる）を復調すると、その表示データからディスプレイＡに対応する表示データのみを抽出し、その表示データにしたがってディスプレイＡの表示を制御する。
【００１２】
同様に、表示制御装置３Ｂは、光マルチキャスタ２の光信号送信部１３Ｂから送信された光信号を受信して、その光信号から表示データ（この表示データは、大画面ディスプレイ４の全体の表示情報を含んでいる）を復調すると、その表示データからディスプレイＢに対応する表示データのみを抽出し、その表示データにしたがってディスプレイＢの表示を制御する。
また、表示制御装置３Ｆは、光マルチキャスタ２の光信号送信部１３Ｆから送信された光信号を受信して、その光信号から表示データ（この表示データは、大画面ディスプレイ４の全体の表示情報を含んでいる）を復調すると、その表示データからディスプレイＦに対応する表示データのみを抽出し、その表示データにしたがってディスプレイＦの表示を制御する。
【００１３】
以上で明らかなように、この実施の形態１によれば、光マルチキャスタ２が光信号を受信すると、その光信号を電気信号に変換して分配し、複数の電気信号を光信号に変換して送信するように構成したので、光信号を直接分岐するものとは異なり、信号強度の劣化を招かずに光信号を分岐することができる効果を奏する。
また、この実施の形態１によれば、信号強度の劣化を招かずに光信号を分岐することができる光マルチキャスタ２を用いて画面表示システムを構成しているので、大画面の表示を適正かつ速やかに制御することができる効果を奏する。
【００１４】
なお、この実施の形態１では、光伝送システムを画面表示システムに適用するものについて示したが、これに限るものではなく、例えば、長距離のデータ伝送を実施する場合の中継装置などに適用するようにしてもよい。
また、この実施の形態１では、光マルチキャスタ２が光信号を６分岐するものについて示したが、これに限るものではなく、例えば、７以上に分岐するようにしてもよい。
【００１５】
実施の形態２．
上記実施の形態１では、光信号送信装置１と光マルチキャスタ２が１対１で接続されているものについて示したが、図３に示すように、光信号送信装置１と光マルチキャスタ２が１対Ｎで接続されていてもよい。
この場合には、更に多くの光信号を分岐することができる効果を奏する。
【００１６】
【発明の効果】
以上のように、この発明によれば、光信号を受信すると、その光信号を電気信号に変換して分配し、複数の電気信号を光信号に変換して送信するように構成したので、信号強度の劣化を招かずに光信号を分岐することができる効果がある。
【図面の簡単な説明】
【図１】この発明の実施の形態１による画面表示システムを示す構成図である。
【図２】図１の光マルチキャスタを示す構成図である。
【図３】この発明の実施の形態２による画面表示システムを示す構成図である。
【符号の説明】
１  光信号送信装置、２  光マルチキャスタ、３Ａ〜３Ｆ  表示制御装置（光信号受信装置）、４  大画面ディスプレイ、１１  光信号受信部（光電変換手段）、１２  信号分配部（電気信号分配手段）、１３Ａ〜１３Ｆ  光信号送信部（光信号送信手段）。
【図１】
2004247867.tif 000003
【図２】
2004247867.tif 000004
【図３】
2004247867.tif 000005